(57)【要約】【課題】作業員にかかる負担を軽減して容易に能率よく油圧ユニットを狭い機械室に対して搬出入することができる油圧エレベータの油圧ユニット搬出入方法を提供する。【解決手段】油圧式エレベータのリニューアルに際し、その油圧式エレベータの油圧ユニット５を建屋の機械室に対して搬出入する方法であって、機械室に設置されている油圧ユニット５を取り外し、この取り外した油圧ユニットに搬送具としてのキャスター２０を取り付け、そのキャスター２０を介して油圧ユニット５を走行させることで油圧ユニット５を機械室に対して搬出入する。【選択図】    図４
2011001137.tif 000002
【特許請求の範囲】
【請求項１】
油圧式エレベータのリニューアルに際し、その油圧式エレベータの油圧ユニットを建屋の機械室に対して搬出入する方法であって、
前記油圧ユニットに搬送具を取り付け、その搬送具を介して前記油圧ユニットを走行させることで前記油圧ユニットを前記機械室に対して搬出入することを特徴とする油圧式エレベータの油圧ユニット搬出入方法。
【請求項２】
前記搬送具は、キャスター、車輪装置、キャタピラ装置のうちのいずれかであることを特徴とする請求項１に記載の油圧式エレベータの油圧ユニット搬出入方法。
【請求項３】
油圧式エレベータのリニューアルに際し、その油圧式エレベータの油圧ユニットを建屋の機械室に対して搬出入する方法であって、
前記建屋の昇降路内に配置された乗りかごに取り付けられている案内装置と、この案内装置と係合して前記乗りかごの昇降移動をガイドするガイドレールとをリニューアルに際して取り外した後に、そのガイドレールを前記機械室の床面とその外部の床面とに渡って設置し、かつ前記乗りかごから取り外した前記案内装置を前記油圧ユニットに取り付け、その案内装置を前記ガイドレールに係合させ、この係合させた案内装置を介して前記ガイドレールに沿って前記油圧ユニットを走行させることで前記油圧ユニットを前記機械室に対して搬出入することを特徴とする油圧式エレベータの油圧ユニット搬出入方法。
【請求項４】
油圧式エレベータのリニューアルに際し、その油圧式エレベータの油圧ユニットを建屋の機械室に対して搬出入する方法であって、
前記機械室の床面とその外部の床面とにそれぞれスタンドを設置し、これらスタンド間にロープを張設し、前記油圧ユニットにシーブを取り付け、このシーブを前記ロープに掛け合わせ、このシーブを介して前記ロープに沿って前記油圧ユニットを移動させることで前記油圧ユニットを前記機械室に対して搬出入することを特徴とする油圧式エレベータの油圧ユニット搬出入方法。
【請求項５】
油圧式エレベータのリニューアルに際し、その油圧式エレベータの油圧ユニットを建屋の機械室に対して搬出入する方法であって、
前記機械室の床面とその外部の床面とに渡ってベルトコンベアを設置し、このベルトコンベアに上に前記油圧ユニットを乗せ、このベルトコンベアを介して前記油圧ユニットを移動させることで前記油圧ユニットを前記機械室に対して搬出入することを特徴とする油圧式エレベータの油圧ユニット搬出入方法。
【発明の詳細な説明】
【技術分野】
【０００１】
この発明は、油圧式エレベータにおける油圧ユニットを建屋の機械室内に対して搬出入するための方法に関する。
【背景技術】
【０００２】
油圧式エレベータは、特開平８−２４５１０７号公報や特開２００２−１７３２７８公報に見られるように、人が乗る乗りかごと、その乗りかごを昇降させる油圧ジャッキと、その油圧ジャッキを駆動する油圧ユニットとを備えている。油圧ジャッキは昇降路の最下部のピット部に設置され、この油圧ジャッキの動作で乗りかごが昇降路内において昇降移動する。油圧ジャッキを駆動する油圧ユニットは、昇降路のピット部の脇に設けられた機械室内に設置されている。機械室は油圧ユニットの設置が可能な程度の比較的狭い空間となっている。
【０００３】
エレベータは種々の事情によりリニューアルされることがある。リニューアルに際しては、昇降路内の乗りかごやその他のエレベータ用品と併せて機械室内の油圧ユニットが改修され、あるいは撤去され、新たな油圧ユニットと交換される。機械室内の油圧ユニットの改修や撤去の際には、機械室内から油圧ユニットが搬出され、改修後の油圧ユニットが再度機械室内に搬入され、あるいは新規の油圧ユニットが搬入される。
【先行技術文献】
【特許文献】
【０００４】
【特許文献１】特開平８−２４５１０７号公報
【特許文献２】特開２００６−１９９４４１公報
【発明の概要】
【発明が解決しようとする課題】
【０００５】
油圧ユニットの搬出、搬入の際には、チェーンブロックなどの揚重装置を用いる作業員の作業で油圧ユニットが吊上げられる。すなわち、揚重装置を機械室の天井部に掛止し、その掛止部を吊元部として油圧ユニットを吊上げ、水平方向に移動させながら搬出入するようにしている。
しかしながら、機械室は狭い空間で、作業員が腰をかがめて作業しなければならず、また機械室の天井部に揚重装置の吊元部を確保することも難しく、このため過酷で能率の悪い作業となり、作業員に大きな負担がかかるという課題がある。
この発明はこのような点に着目してなされたもので、その目的とするところは、作業員にかかる負担を軽減して容易に能率よく油圧ユニットを狭い機械室に対して搬出入することができる油圧エレベータの油圧ユニット搬出入方法を提供することにある。
【課題を解決するための手段】
【０００６】
このような課題を解決するために、請求項１の発明は、油圧式エレベータのリニューアルに際し、その油圧式エレベータの油圧ユニットを建屋の機械室に対して搬出入する方法であって、前記油圧ユニットに搬送具を取り付け、その搬送具を介して前記油圧ユニットを走行させることで前記油圧ユニットを前記機械室に対して搬出入することを特徴としている。  
請求項２の発明は、前記搬送具が、キャスター、車輪装置、キャタピラ装置のうちのいずれかであることを特徴としている。
【０００７】
請求項３の発明は、油圧式エレベータのリニューアルに際し、その油圧式エレベータの油圧ユニットを建屋の機械室に対して搬出入する方法であって、前記建屋の昇降路内に配置された乗りかごに取り付けられている案内装置と、この案内装置と係合して前記乗りかごの昇降移動をガイドするガイドレールとをリニューアルに際して取り外した後に、そのガイドレールを前記機械室の床面とその外部の床面とに渡って設置し、かつ前記乗りかごから取り外した前記案内装置を前記油圧ユニットに取り付け、その案内装置を前記ガイドレールに係合させ、この係合させた案内装置を介して前記ガイドレールに沿って前記油圧ユニットを走行させることで前記油圧ユニットを前記機械室に対して搬出入することを特徴としている。
【０００８】
請求項４の発明は、油圧式エレベータのリニューアルに際し、その油圧式エレベータの油圧ユニットを建屋の機械室に対して搬出入する方法であって、前記機械室の床面とその外部の床面とにそれぞれスタンドを設置し、これらスタンド間にロープを張設し、前記油圧ユニットにシーブを取り付け、このシーブを前記ロープに掛け合わせ、このシーブを介して前記ロープに沿って前記油圧ユニットを移動させることで前記油圧ユニットを前記機械室に対して搬出入することを特徴としている。
【０００９】
請求項５の発明は、油圧式エレベータのリニューアルに際し、その油圧式エレベータの油圧ユニットを建屋の機械室に対して搬出入する方法であって、前記機械室の床面とその外部の床面とに渡ってベルトコンベアを設置し、このベルトコンベアに上に前記油圧ユニットを乗せ、このベルトコンベアを介して前記油圧ユニットを移動させることで前記油圧ユニットを前記機械室に対して搬出入することを特徴としている。
【発明の効果】
【００１０】
この発明によれば、作業員にかかる負担を軽減して容易に能率よく油圧ユニットを狭い機械室に対して搬入出することができる。
【図面の簡単な説明】
【００１１】
【図１】この発明が対象とする油圧式エレベータの全体の構成の一例を示す構成図。
【図２】その油圧式エレベータの油圧ユニットの側面図。
【図３】その油圧式エレベータの油圧ユニットの正面図。
【図４】この発明の第１の実施形態を説明するために示す油圧ユニットの斜視図。
【図５】この発明の第１の実施形態を説明するために示す油圧ユニットの側面図。
【図６】この発明の第１の実施形態を説明するために示す油圧ユニットの正面図。
【図７】この発明の第２の実施形態を説明するために示す油圧ユニットの斜視図。
【図８】この発明の第２の実施形態を説明するために示す油圧ユニットの側面図。
【図９】この発明の第２の実施形態を説明するために示す油圧ユニットの正面図。
【図１０】この発明の第３の実施形態を説明するために示す油圧ユニットの側面図。
【図１１】この発明の第３の実施形態を説明するために示す油圧ユニットの正面図。
【図１２】この発明の第４の実施形態を説明するために示す油圧ユニットの斜視図。
【図１３】この発明の第４の実施形態を説明するために示す油圧ユニットの側面図。
【図１４】この発明の第４の実施形態を説明するために示す油圧ユニットの正面図。
【図１５】この発明の第５の実施形態を説明するための斜視図。
【図１６】この発明の第６の実施形態を説明するための側面図。
【図１７】この発明の第７の実施形態を説明するための側面図。
【発明を実施するための形態】
【００１２】
以下、この発明の実施の形態について図面を参照して説明する。
【００１３】
図1には、建屋に設置された油圧式エレベータの全体の構成を示してある。建屋には乗りかご1を昇降させるための昇降路２が設けられ、この昇降路２の最下部のピット部２ａの脇に機械室３が設けられている。この機械室３には一側面に開口３ａが形成されている。
機械室３内には油圧ユニット５が据付けられ、昇降路２のピット部２ａには油圧ジャッキ６が据付けられている。油圧ジャッキ６は上下に進退移動可能なプランジャ７を有し、このプランジャ７の上端部に乗りかご１が据付けられ、この乗りかご１がプランジャ７の進退移動で昇降路２に沿って上下に昇降する。
【００１４】
昇降路２内にはガイドレール８が垂直に設置され、乗りかご１にはそのガイドレール８に係合する案内装置９が設けられ、乗りかご１の昇降動作がそのガイドレール８と案内装置９との係合でガイドされる。
【００１５】
油圧ユニット５は、油を収容した油タンク１０、駆動源としてのモータ１１及びこのモータ１１で駆動される油圧ポンプ１２とを備え、モータ１１および油圧ポンプ１２にそれぞれプーリ１３，１４が取り付けられ、こられプーリ１３，１４間にベルト１５が掛け渡され、モータ１１の回転動力がベルト１５を介して油圧ポンプ１２に伝達される。油圧ポンプ１２は配管１６を介して油圧ジャッキ６に接続され、モータ１１の起動で油圧ポンプ１２が駆動されることで油タンク１０内の油が油圧ジャッキ６に圧送され、プランジャ７が動作して乗りかご１が昇降移動する。
【００１６】
油圧ユニット５は、図２および図３に示すように、下部にプレート状の据付座５ａを有し、この据付座５ａが機械室３の床に据付けられたユニットビーム１７の上にゴムなどの防振材１８を介して載置されている。そして据付座５ａから各防振材１８を貫通してユニットビーム１７に締結具としての複数のボルト１９が螺挿され、これらボルト１９を介して防振材１８および油圧ユニット５がユニットビーム１７の上に締結固定されている。
【００１７】
次に、このような油圧式エレベータのリニューアルに際し、機械室３に対して油圧ユニット５を搬出入するときの手順について説明する。
【００１８】
図４〜図６には第１の実施形態を示してあり、この実施形態においては、まず、各ボルト１９をユニットビーム１７から抜いて油圧ユニット５とユニットビーム１７との締結を外す。そして、据付座５ａから各防振材１８を取り外すとともに、これら防振材１８に代えて図４、図５、図６に示すように搬送具としての複数のキャスター２０を据付座５ａの下面にボルト２３を用いて取り付ける。キャスター２０はフレーム２１とこのフレーム２１に回転自在に取り付けられた車輪２２とを備え、フレーム２１をボルト２３で据付座５ａに締結して固定する。
【００１９】
油圧ユニット５の据付座５ａにキャスター２０を取り付ける際には、例えば床置き式のジャッキ装置を用いて油圧ユニット５をある程度の高さまで浮かせたり、油圧ユニット５を横に倒したりして行なう。また、ボルト２３を挿入するため据付座５ａに形成されている穴とキャスター２０のフレーム２１に形成されている穴との仕様が適合しないときには適宜なアダプターなどを用いてそれに対応する。
【００２０】
油圧ユニット５の下部にキャスター２０を取り付けた後には、キャスター２０を機械室３の床面に当てて油圧ユニット５を起立させ、この状態で作業員が油圧ユニット５を手で押して走行させ、機械室３から搬出する。そして、油圧ユニット５を含むエレベータの各用品の改修や点検が終了した後に、油圧ユニット５をキャスター２０を介して走行させて機械室３内に搬入し、その搬入後に油圧ユニット５からキャスター２０を取り外し、油圧ユニット５の据付座５ａを防振材１８を介してユニットビーム１７の上に載置し、図２および図３に示すようにボルト１９を用いて油圧ユニット５をユニットビーム１７に締結して固定する。
【００２１】
このように、機械室３に対して油圧ユニット５を搬出入する際に、従来のように機械室３の低い天井部を吊元部として揚重装置を吊下げ、その揚重装置を狭い機械室３内で操作するような面倒な作業を要することなく、キャスター２０を介して油圧ユニット５を円滑に走行させて搬出入することができる。また、揚重装置を必要としないから、その設置の手間やコストを省くことができ、より能率よく油圧ユニット５を機械室３に対して搬出入することができる。
【００２２】
なお、油圧ユニット５の撤去の際においても、同様に油圧ユニット５にキャスター２０を取り付け、そのキャスター２０を介して油圧ユニット５を走行させることで、円滑に能率よく油圧ユニット５を機械室３から搬出して撤去することができる。
【００２３】
第１の実施形態では、油圧ユニット５に搬送具としてキャスター２０を取り付けるようにしたが、図７〜図９に第２の実施形態として示すように、油圧ユニット５の下部の前後部に車輪装置２５を取り付けることも可能である。この車輪装置２５は、一対の支持脚２６と、これら一対の支持脚２６間に回転自在に貫挿された車軸２７と、この車軸２７の両端部に取り付けられた車輪２８とを備え、各支持脚２６が油圧ユニット５の据付座５ａにボルト２３を用いて締結されることで、油圧ユニット５の下部に取り付けられている。
【００２４】
このような構成においても、機械室３に対して油圧ユニット５を搬出入する際に、吊下げ型の揚重装置を用いることなく、車輪装置２５を介して油圧ユニット５を円滑に走行させて搬出入することができる。
【００２５】
なお、このような車輪装置２５を用いる場合において、図１０および図１１に第３の実施形態として示すように、油圧ユニット５に取り付けられたいずれか一方の車輪装置２５における車軸２７にプーリ２９を取り付け、このプーリ２９と油圧ユニット５に搭載されているモータ１１のプーリ１３との間にベルト３０を掛け渡し、モータ１１の動力で車輪装置２５の車輪２８を回転させて油圧ユニット５を走行させる自走式構造に構成することも可能である。この場合には、作業員による押し作業を要することなく、モータ１１の動力で油圧ユニット５を走行させてより能率よく油圧ユニット５を搬出入することができる。
【００２６】
図１２〜図１４には第４の実施形態を示してあり、この実施形態においては搬送具としてキャタピラ（登録商標）装置３４が用いられている。このキャタピラ装置３４は、並列する複数の例えば４つの車輪３５を備え、これら車輪３５が連結ロッド３６を介して連結され、これら車輪３５に渡って無端状の無限軌道３７が掛け渡されている。各車輪３５は連結ロッド３６に回転自在に取り付けられ、また無限軌道３７はゴムなどの弾性材からなる。
【００２７】
連結ロッド３６には支持脚３８が取り付けられ、これら支持脚３８が油圧ユニット５の据付座５ａにボルト２３を用いて締結されてキャタピラ装置３４が油圧ユニット５の下部に取り付けられている。キャタピラ装置３４は油圧ユニット５の下部両側に取り付けられている。
【００２８】
このような構成においても、機械室３に対して油圧ユニット５を搬出入する際に、吊下げ型の揚重装置を用いることなく、キャタピラ装置３４を介して油圧ユニット５を円滑に走行させて搬出入することができる。特にキャタピラ装置３４を用いているため、機械室３の床面が滑りやすかったり凹凸があったりしても円滑に油圧ユニット５を走行させることができる。
【００２９】
ところで、エレベータのリニューアルに際しては、昇降路２内のガイドレール８や、そのガイドレール８と係合する乗りかご１の案内装置９が取り外されることがある。そこで、このような場合においては、図１５に第５の実施形態として示すように、取り外したガイドレール８をベース４０を介して機械室３の床面と機械室３の外部の床面との間に渡って設置し、また取り外した案内装置９を油圧ユニット５の下部の据付座５ａにボルト２３を用いて取り付ける。そして、前記案内装置９を前記ガイドレール８に係合させ、油圧ユニット５を案内装置９を介してガイドレール８に沿って移動させることで機械室３に対して油圧ユニット５を搬出入する。すなわち、ガイドレール８と案内装置９を油圧ユニット５の搬出入用の搬送具として利用する。
【００３０】
このような場合においても、吊下げ型の揚重装置を用いることなく、機械室３に対して油圧ユニット５を能率よく搬出入して能率的にリニューアルの作業を進めることができる。
【００３１】
図１６には第６の実施形態を示してあり、この実施形態においては、機械室３の床面と、機械室３の外部の床面とにそれぞれスタンド５０，５１を設置し、これらスタンド５０，５１の上部にロープソケット５２，５３を取り付け、これらロープソケット５２，５３間にロープ５４を張設し、また油圧ユニット５の上部にワイヤ５５を介してシーブ５６を取り付ける。そして、床置型のジャッキ装置などを用いて油圧ユニット５を上方に押し上げて前記シーブ５６を前記ロープ５４に掛け合わせて油圧ユニット５をロープ５４の下側に吊下げ、この状態でシーブ５６を介して油圧ユニット５をロープ５４に沿って走行させ、その油圧ユニットを機械室３から機械室３の外部に搬出し、あるいは機械室３の外部から機械室３の内部に搬入する。なお、ロープソケット５２，５３やロープ５４はリニューアルに際して既設のエレベータから分離させたものを利用することも可能である。
【００３２】
このような方法においても、吊下げ型の揚重装置を用いることなく、機械室３に対して油圧ユニット５を能率よく搬出入して能率的にリニューアルの作業を進めることができる。
【００３３】
図１７には第７の実施形態を示してあり、この実施形態においては、機械室３の床面と、機械室３の外部の床面との間に渡ってベルトコンベア６０を設置し、このベルトコンベア６０の上に油圧ユニット５を乗せ、このベルトコンベア６０で油圧ユニット５を搬送することで、油圧ユニット５を機械室３から機械室３の外部に搬出し、あるいは機械室３の外部から機械室３の内部に搬入する。
【００３４】
このような方法においても、吊下げ型の揚重装置を用いることなく、機械室３に対して油圧ユニット５を能率よく搬出入して能率的にリニューアルの作業を進めることができる。
【符号の説明】
【００３５】
1…乗りかご
２…昇降路
３…機械室
５…油圧ユニット
６…油圧ジャッキ
８…ガイドレール
９…案内装置
１７…ユニットビーム
１８…防振材
２０…キャスター
２１…フレーム
２２…車輪
２３…ボルト
２５…車輪装置
２７…車軸
２８…車輪
３４…キャタピラ装置
３５…車輪
３６…連結ロッド
３７…無限軌道
４０…ベース
５０．５１…スタンド
５４…ロープ
５５…ワイヤ
５６…シーブ
６０…ベルトコンベア
【図１】
2011001137.tif 000003
【図２】
2011001137.tif 000004
【図３】
2011001137.tif 000005
【図４】
2011001137.tif 000006
【図５】
2011001137.tif 000007
【図６】
2011001137.tif 000008
【図７】
2011001137.tif 000009
【図８】
2011001137.tif 000010
【図９】
2011001137.tif 000011
【図１０】
2011001137.tif 000012
【図１１】
2011001137.tif 000013
【図１２】
2011001137.tif 000014
【図１３】
2011001137.tif 000015
【図１４】
2011001137.tif 000016
【図１５】
2011001137.tif 000017
【図１６】
2011001137.tif 000018
【図１７】
2011001137.tif 000019